(57)【要約】【課題】  部品点数が少なく、組立て作業性も良く、装置全体が大型化せず、アコ―スティックピアノに近似した鍵タッチを得ることができる鍵盤装置を提供する。【解決手段】  鍵盤シャーシ１上に上下方向に回動可能に設けられた鍵２にアクション荷重を付与するハンマー部材３の前端部に、ハンマー当接部２８を設け、鍵２にハンマー当接部２８が鍵２の前後方向に移動可能に挿入する保持孔部２９を有するハンマー連結部１８を設け、ハンマー当接部２８の上面にローラ３２を設け、このローラ３２が押鍵操作時に保持孔部２９内の上面を転動してその上面の前端部２９ａを乗り越える。従って、押鍵操作時に鍵荷重が急激に抜けるレットオフの鍵タッチを得ることができるので、アコ―スティックピアノに近似した鍵タッチを得ることができ、構造が簡単で、部品点数も少なく、組立て作業性が良いほか、装置全体の小型化をも図ることができる。【選択図】        図１
2008164706.tif 000002
【特許請求の範囲】
【請求項１】
鍵盤シャーシと、この鍵盤シャーシ上に上下方向に回動可能に設けられた鍵と、この鍵の下側に対応して設けられ、前記鍵の押鍵動作に伴って回動変位して該鍵にアクション荷重を付与するハンマー部材とを備えた鍵盤装置において、
前記ハンマー部材の前端部には、ハンマー当接部が設けられており、前記鍵には、前記ハンマー当接部が前記鍵の前後方向に移動可能に挿入する保持孔部を有するハンマー連結部が設けられており、
このハンマー連結部の前記保持孔部の内面と前記ハンマー当接部とが相対的に移動する一方の移動面に回転部材を設け、押鍵操作時に前記回転部材が前記他方の移動面を相対的に転動してこの他方の移動面の端部を相対的に乗り越えることを特徴とする鍵盤装置。
【請求項２】
前記回転部材は、前記ハンマー当接部の上面にその上方に突出して設けられ、押鍵操作時に前記ハンマー連結部の前記保持孔部内における上面を転動してこの上面における前記鍵の前側に位置する前端部を乗り越えることを特徴とする請求項１に記載の鍵盤装置。
【請求項３】
前記ハンマー連結部の前記保持孔部内の上面における前記鍵の前側に位置する前端部には、押鍵操作時に前記回転部材が乗り越えることにより前記鍵に負荷を付与する突起部が設けられていることを特徴とする請求項２に記載の鍵盤装置。
【請求項４】
前記回転部材は、前記ハンマー連結部の前記保持孔部内の上面における前記鍵の前側に位置する前端部に、その下側および前側に突出して設けられ、押鍵操作時に前記ハンマー当接部の上面を相対的に転動してこの上面における前記鍵の後側に位置する後端部を相対的に乗り越えることを特徴とする請求項１に記載の鍵盤装置。
【請求項５】
前記ハンマー当接部の上面における前記鍵の後側に位置する後端部には、押鍵操作時に前記回転部材が相対的に乗り越えることにより前記鍵に負荷を付与する突起部が設けられていることを特徴とする請求項４に記載の鍵盤装置。
【発明の詳細な説明】
【技術分野】
【０００１】
この発明は、電子ピアノなどの電子鍵盤楽器に用いられる鍵盤装置に関する。
【背景技術】
【０００２】
例えば、電子ピアノなどの電子鍵盤楽器においては、アコ―スティックピアノの鍵タッチ感に近似した鍵タッチ感を得るために、鍵の下側に錘を有するハンマー部材を上下方向に回動可能に設け、鍵の押鍵操作に伴ってハンマー部材がその錘の重量に抗して回動することにより、鍵に所定のアクション荷重を付与するように構成したものがある。
【０００３】
このような電子鍵盤楽器では、押鍵操作時にハンマー部材がその錘の重量に抗して上下方向に回動して鍵に所定のアクション荷重を付与するだけであるため、押鍵操作時に鍵荷重が急激に重くなって急激に軽くなる鍵タッチ、つまり押鍵操作時に鍵荷重が急激に抜ける所謂レットオフの鍵タッチを得ることができず、アコ―スティックピアノに近似した鍵タッチが得られないという問題がある。
【０００４】
そこで、従来の電子鍵盤楽器においては、特許文献１に記載されているように、鍵盤シャーシの後端部に、ローラが板ばねに取り付けられたクリック付与部材を設け、押鍵操作時にハンマー部材の後端部がクリック付与部材の板ばねのばね力に抗してローラを乗り越えることにより、押鍵操作時に鍵荷重が急激に抜けるレットオフの鍵タッチが得られるように構成している。
【特許文献１】特開平０６−２３０７７０号
【発明の開示】
【発明が解決しようとする課題】
【０００５】
しかしながら、このような従来の電子鍵盤楽器では、ハンマー部材の後方に位置する鍵盤シャーシの後端部にクリック付与部材を設けているため、楽器全体の奥行きが長くなり、楽器全体が大型化するという問題があるほか、クリック付与部材が板ばねにローラを設けた構成であるから、構造が複雑で、部品点数も多く、組立て作業が煩雑で面倒であるという問題もある。
【０００６】
この発明が解決しようとする課題は、部品点数が少なく、組立て作業性も良く、装置全体が大型化せず、アコ―スティックピアノに近似した鍵タッチを得ることができる鍵盤装置を提供することである。
【課題を解決するための手段】
【０００７】
この発明は、上記課題を解決するために、次のような構成要素を備えている。
請求項１に記載の発明は、鍵盤シャーシと、この鍵盤シャーシ上に上下方向に回動可能に設けられた鍵と、この鍵の下側に対応して設けられ、前記鍵の押鍵動作に伴って回動変位して該鍵にアクション荷重を付与するハンマー部材とを備えた鍵盤装置において、
前記ハンマー部材の前端部には、ハンマー当接部が設けられており、前記鍵には、前記ハンマー当接部が前記鍵の前後方向に移動可能に挿入する保持孔部を有するハンマー連結部が設けられており、
このハンマー連結部の前記保持孔部の内面と前記ハンマー当接部とが相対的に移動する一方の移動面に回転部材を設け、押鍵操作時に前記回転部材が前記他方の移動面を相対的に転動してこの他方の移動面の端部を相対的に乗り越えることを特徴とする鍵盤装置である。
【０００８】
請求項２に記載の発明は、前記回転部材が、前記ハンマー当接部の上面にその上方に突出して設けられ、押鍵操作時に前記ハンマー連結部の前記保持孔部内における上面を転動してこの上面における前記鍵の前側に位置する前端部を乗り越えることを特徴とする請求項１に記載の鍵盤装置である。
【０００９】
請求項３に記載の発明は、前記ハンマー連結部の前記保持孔部内の上面における前記鍵の前側に位置する前端部に、押鍵操作時に前記回転部材が乗り越えることにより前記鍵に負荷を付与する突起部が設けられていることを特徴とする請求項２に記載の鍵盤装置である。
【００１０】
請求項４に記載の発明は、前記回転部材が、前記ハンマー連結部の前記保持孔部内の上面における前記鍵の前側に位置する前端部に、その下側および前側に突出して設けられ、押鍵操作時に前記ハンマー当接部の上面を相対的に転動してこの上面における前記鍵の後側に位置する後端部を相対的に乗り越えることを特徴とする請求項１に記載の鍵盤装置である。
【００１１】
請求項５に記載の発明は、前記ハンマー当接部の上面における前記鍵の後側に位置する後端部に、押鍵操作時に前記回転部材が相対的に乗り越えることにより前記鍵に負荷を付与する突起部が設けられていることを特徴とする請求項４に記載の鍵盤装置である。
【発明の効果】
【００１２】
この発明によれば、押鍵操作に伴ってハンマー部材のハンマー当接部が鍵のハンマー連結部の保持孔部内で移動しながら、鍵のハンマー連結部がハンマー当接部を押し下げることにより、ハンマー部材が上下方向に回動するときに、鍵荷重が急激に重くなるアクション荷重を付与し、この状態でハンマー連結部の保持孔部の内面とハンマー当接部とが相対的に移動する一方の移動面に設けられた回転部材が、他方の移動面を相対的に転動してこの他方の移動面の端部を相対的に乗り越えるときに、鍵荷重を急激に重くし、回転部材が他方の移動面の端部を相対的に乗り越えたときに、鍵荷重を急激に軽くすることができる。
【００１３】
これにより、押鍵操作時に鍵荷重が急激に抜けるレットオフの鍵タッチを得ることができるので、より一層、アコ―スティックピアノに近似した鍵タッチを得ることができると共に、ハンマー連結部の保持孔部の内面とハンマー当接部とが相対的に移動する一方の移動面に回転部材を設けるだけの簡単な構造であるから、部品点数が少なく、組立て作業性も良く、装置全体の奥行きが長くならず、装置全体の小型化をも図ることができる。
【発明を実施するための最良の形態】
【００１４】
（実施形態１）
以下、図１〜図５を参照して、この発明を適用した電子鍵盤楽器の実施形態１について説明する。
この電子鍵盤楽器は、図１および図２に示すように、合成樹脂製の鍵盤シャーシ１と、この鍵盤シャーシ１上に上下方向に回動可能に設けられた合成樹脂製の複数の鍵２（白鍵と黒鍵、ただしこの実施形態１では白鍵について説明する。）と、この複数の鍵２にそれぞれアクション荷重を付与する複数のハンマー部材３と、各鍵２の押鍵操作に応じてそれぞれ電気信号を出力するスイッチ部４とを備えている。
【００１５】
鍵盤シャーシ１は、楽器本体の本体ケースであり、この鍵盤シャーシ１の前端部（図１では右端部）には、図１および図２に示すように、鍵２の前端部に対応する前側搭載部５が底部から上方に突出して設けられている。この前側搭載部５上には、鍵２の前端部内に挿入して鍵２の横振れを防ぐための鍵ガイド部６が上方に突出して設けられている。また、この前側搭載部５の後端部には、前側立上り部７が前側搭載部５の上面から上方に高く設けられており、この鍵盤シャーシ１の後端部には、後側立上り部８が底部から前側搭載部５よりも高く設けられている。
【００１６】
この鍵盤シャーシ１の前側立上り部７と後側立上り部８との上部間には、図１および図２に示すように、後側搭載部１０が設けられている。この後側搭載部１０の前側下部（図１では右側下面）には、後述するハンマー支持部１１が設けられており、このハンマー支持部１１には、ハンマー部材３を上下方向に回動可能に支持するための支持軸１２が設けられている。また、この後側搭載部１０の中間部における上部には、スイッチ基板１３が取り付けられており、このスイッチ基板１３上には後述するスイッチ部４が設けられている。さらに、この後側搭載部１０の後側上部（図１では左側上部）上には、鍵支持部１４が上方に突出して設けられており、この鍵支持部１４には、鍵２の後端部を回動可能に支持するための鍵支持軸１５が設けられている。
【００１７】
鍵２は、図１および図２に示すように、その後端部（図１では左端部）の両側面に鍵取付孔部１６が設けられ、この鍵取付孔部１６が鍵盤シャーシ１の後側搭載部１０上に設けられた鍵支持部１４の鍵支持軸１５に回動可能に取り付けられ、これにより鍵支持軸１５を中心に上下方向に回動するように構成されている。この場合、鍵２は、図１および図２に示すように、細長いほぼ角筒形状をなし、その内部が中空で下側に開放された断面矩形状に形成され、その内部における前部側（図１では右端部側）に鍵ガイド部６が下側から挿入し、この鍵ガイド部６によって横振れしないように構成されている。
【００１８】
また、この鍵２の中間部には、スイッチ押圧部１７が鍵盤シャーシ１上に設けられたスイッチ基板１３の各スイッチ部４に対応して設けられている。このスイッチ押圧部１７の前部側には、ハンマー部材３の前端部（図１では右端部）に設けられた後述するハンマー当接部２８を鍵２の前後方向に移動可能に連結するハンマー連結部１８が鍵盤シャーシ１の前側搭載部５上に向けて垂下された状態で設けられている。
【００１９】
この場合、スイッチ部４は、図１および図２に示すように、スイッチ基板１３の上面に配置されたゴムシートを備えている。このゴムシートには、ドーム状の膨出部が各鍵２のスイッチ押圧部１７にそれぞれ対応して形成されている。この膨出部内には、高さの異なる一対の可動接点が設けられており、これに対応するスイッチ基板１３上には、一対の固定接点が一対の可動接点にそれぞれ接離可能に離間対向して設けられている。これにより、スイッチ部４は、図２に示すように、押鍵操作時に鍵２のスイッチ押圧部１７によって膨出部が押圧されたときに、膨出部が弾性変形して一対の可動接点が一対の固定接点に時間差をもって順に接触することにより、鍵タッチの強さに応じたスイッチ信号を出力するように構成されている。
【００２０】
一方、ハンマー部材３は、図１および図２に示すように、金属製のハンマー本体２０と合成樹脂製のハンマーホルダ２１とを有し、このハンマーホルダ２１がハンマー本体２０の前部側（図１では右側）に設けられたホルダ取付部２２に取り付けられ、この状態でハンマーホルダ２１が、鍵盤シャーシ１の前側立上り部７に設けられた開口部７ａ内に挿入した状態で、鍵盤シャーシ１の後側搭載部１０の前側下部に設けられたハンマー支持部１１の支持軸１２に上下方向に回動自在に保持されるように構成されている。
【００２１】
これにより、ハンマー部材３は、ハンマー本体２０の後端部（図１では左端部）に設けられた錘部２３の重量によって、ハンマー本体２０が図１において反時計回りに付勢されて、ハンマー本体２０の後端部が鍵盤シャーシ１の後端底部に設けられたフェルトなどの下限ストッパ２４に当接することにより、ハンマー本体２０が下限位置に規制されるように構成されている。また、このハンマー部材３は、ハンマー本体２０が錘部２３の重量に抗して時計回りに回動したときに、図２に示すように、ハンマー本体２０の後端部が鍵盤シャーシ１の後側搭載部１０における後端下面に配置されたフェルトなどの上限ストッパ２５に当接することにより、ハンマー本体２０が上限位置に規制されるように構成されている。
【００２２】
この場合、ホルダ取付部２２は、図１に示すように、その下部側に開放されたほぼコ字形状に形成されている。ハンマーホルダ２１は、図１および図２に示すように、鍵盤シャーシ１の後側搭載部１０の前側下部に設けられたハンマー支持部１１の支持軸１２に上下方向に回動可能に保持される軸受部２６と、この軸受部２６をハンマー本体２０のホルダ取付部２２に装着する装着部２７とを備えている。軸受部２６は、図１および図２に示すように、全体がほぼ逆Ｃ字形状に形成され、その中心部にハンマー支持部１１の支持軸１２が回動可能に挿入するように構成されている。装着部２７は、全体がほぼコ字形状に形成され、その内部に軸受部２６が一体に設けられた構成になっている。
【００２３】
また、このハンマー部材３は、図１および図２に示すように、ハンマー本体２０の前端部（図１では右端部）が、後側搭載部１０の下側から鍵盤シャーシ１の前側立上り部７に設けられた開口部７ａを通して、前側搭載部５の上方（図１では右側）に突出し、この突出した前端部にハンマー当接部２８が設けられ、このハンマー当接部２８が鍵２のハンマー連結部１８に設けられた保持孔部２９内に鍵２の前後方向に移動可能に挿入されて保持され、これによりハンマー本体２０が鍵２の押鍵動作に連動してハンマー支持部１１の支持軸１２を中心に上下方向に回動するように構成されている。
【００２４】
すなわち、ハンマー当接部２８は、図３および図４に示すように、ハンマー本体２０の前端部に鍵２の前側に突出した状態で設けられてハンマー連結部１８の保持孔部２９内に挿入する挿入部３０と、この挿入部３０の前端に設けられてハンマー連結部１８の保持孔部２９内を摺動する摺動部３１とからなり、全体がほぼＬ字形状に形成されている。この場合、挿入部３０は、上下方向の長さが保持孔部２９内の上下方向の長さに対しほぼ半分の長さに形成されている。摺動部３１は、その上下方向の長さが保持孔部２９内の上下方向の長さよりも少し短い長さで、前後方向（図３では左右方向）の長さが保持孔部２９内の前後方向の長さに対しほぼ半分の長さに形成されている。
【００２５】
このハンマー当接部２８の摺動部３１の上端部には、図３および図４に示すように、ローラ３２が上方に突出した状態で回転自在に取り付けられている。このローラ３２は、鍵２が押鍵されて摺動部３１の下面がハンマー連結部１８の保持孔部２９内における下面に接触して摺動するときに、保持孔部２９内の上面を転動して、図４に示すように、保持孔部２９内の上面における鍵２の前側に位置する前端部２９ａを乗り越えるように構成されている。
【００２６】
次に、このような電子鍵盤楽器の作用について説明する。
通常は、図１に示すように、ハンマー部材３のハンマー本体２０が錘部２３の重量によってハンマー支持部１１の支持軸１２を中心に、図１において反時計回りに付勢され、これによりハンマー本体２０の後端部が下限ストッパ２４に当接してハンマー部材３が下限位置に規制されている。このときには、ハンマー本体２０のハンマー当接部２８が鍵２のハンマー連結部１８における保持孔部２９内に鍵２の前後方向に移動可能に挿入されて保持された状態で、ハンマー当接部２８が上限に位置することにより、このハンマー当接部２８によって鍵２が押し上げられて上限位置に規制されている。
【００２７】
この状態で、ハンマー部材３の錘部２３の重量に抗して鍵２を押鍵操作すると、その鍵２が鍵盤シャーシ１の後端部の鍵支持軸１５を中心に、図１において時計回りに回動する。このときには、鍵２が鍵ガイド部６によってガイドされるので、鍵２が横振れすることなく上下方向に回動して、鍵２のハンマー連結部１８が下方に移動する。これにより、ハンマー連結部１８の保持孔部２９内に挿入されたハンマー本体２０のハンマー当接部２８が押し下げられる。
【００２８】
このときには、ハンマー当接部２８の摺動部３１の上部に設けられたローラ３２が保持孔部３１内の上面を鍵２の前方に向けて転動する共に、摺動部３１の下面が保持孔部３１内の下面を摺動する。これに伴って、ハンマー部材３のハンマー本体２０が、ハンマーホルダ２１の軸受部２６を保持するハンマー支持部１１の支持軸１２を中心に、図１において時計回りに回動する。
【００２９】
このように、鍵２が押されてハンマー部材３がその錘２３の重量に抗して回動し始めると、図５にａ線で示すように、鍵荷重が急激に重くなり、鍵２がある程度押し下げられると、図５にｂ線で示すように、鍵荷重がほぼ一定になり、更に鍵２が押し下げられると、鍵２のスイッチ押圧部１７がスイッチ部４を押圧するので、図５にｃ線で示すように、鍵荷重が更に少し重くなる。
【００３０】
この状態で、鍵２が更に押し下げられると、図４に示すように、ハンマー当接部２８の摺動部３１の上部に設けられたローラ３２が保持孔部３１内の上面を鍵２の前方に向けて転動して、保持孔部３１内の上面における前端部２９ａに到達し、この前端部２９ａを乗り越えようとするので、図５にｄ線で示すように、更に鍵荷重が急激に重くなる。すなわち、ローラ３２が保持孔部２９内の上面における前端部２９ａを乗り越えるときには、図３に示すように、保持孔部２９の前端部２９ａに対するローラ３２の反力が斜め上後方に向けて発生し、その反力における垂直方向の抗力が大きく、この垂直方向の抗力が鍵荷重として作用する。
【００３１】
そして、摺動部３１のローラ３２が保持孔部３１内の上面における前端部２９ａを乗り越えると、図４に示すように、保持孔部２９の前端部２９ａに対するローラ３２の反力が斜め上後方に向けて発生するが、その反力の抗力が鍵２の回動中心である鍵支持軸１５に向き、その抗力の向きが図３の場合に対し大きく変わり、垂直方向に作用する力が大幅に小さくなる。このため、図５にｅ線で示すように、鍵荷重が急激に軽くなり、摺動部３１の下面が図４に示すように保持孔部２９内の下面から上方に浮き上がる。これにより、鍵荷重が急激に抜けるレットオフの鍵タッチが得られる。この後、鍵２が最も押し下げられると、ハンマー部材３が上限ストッパ２５に当接するので、図５にｆ線で示すように、再び鍵荷重が急激に重くなる。
【００３２】
この後、鍵２から指を離して鍵２が初期位置に戻る離鍵時には、ハンマー部材３の錘部２３の重量によってハンマー部材３が図２において反時計回りに回動する。このときには、図５にｇ線で示すように、鍵荷重が急激に軽くなる。この後、ハンマー部材３が図２において反時計回りに回動して、ハンマー本体２０のハンマー当接部２８における摺動部３１のローラ３２が鍵２のハンマー連結部１８の保持孔部３１内における上面の前端部２９ａを乗り越える。
【００３３】
このときには、摺動部３１の下面が保持孔部２９内の下面に接近しながら、摺動部３１のローラ３２が保持孔部２９内の上面における前端部２９ａを回転して乗り越えるので、摩擦抵抗が小さく、軽い鍵荷重でスムースに乗り越えることができる。この後、摺動部３１のローラ３２が保持孔部２９内の上面に沿って転動すると共に、摺動部３１の下面が保持孔部２９内の下面に沿って移動するので、図５にｈ線で示すように、鍵荷重が緩やかに軽くなる。
【００３４】
そして、ハンマー部材３が図２において反時計回りに更に回動して、鍵２が更に押し上げられるときには、鍵２のスイッチ押圧部１７がスイッチ部４によって押し上げられるので、図５にｉ線で示すように、鍵荷重が更に少し軽くなる。この後は、ハンマー部材３が一定のモーメントで回動するので、図５にｊ線で示すように、鍵荷重がほぼ一定になり、ハンマー部材３が下限ストッパ２４に当接すると、図５にｋ線で示すように、再び鍵荷重が急激に軽くなる。これにより、鍵２はハンマー部材３の回動に伴って反時計回りに回動して、図１に示す初期位置に戻る。
【００３５】
このように、この電子鍵盤楽器によれば、押鍵操作に伴ってハンマー部材３のハンマー当接部２８が鍵２のハンマー連結部１８の保持孔部２９内を移動しながら、鍵２のハンマー連結部１８がハンマー当接部２８を押し下げることにより、ハンマー部材３が上方向に回動するときに、鍵荷重が急激に重くなるアクション荷重を付与し、この状態でハンマー当接部２８のローラ３２がハンマー連結部１８の保持孔部２９内における上面を転動してこの上面の前端部２９ａを乗り越えるときに、鍵荷重を急激に重くし、ローラ３２が保持孔部２９内の上面における前端部２９ａを乗り越えたときに、鍵荷重を急激に軽くすることができる。
【００３６】
これにより、押鍵操作時に鍵荷重が急激に抜けるレットオフの鍵タッチを得ることができるので、より一層、アコ―スティックピアノに近似した鍵タッチを得ることができると共に、離鍵時にハンマー当接部２８のローラ３２が保持孔部３１内の上面の前端部２９ａを軽い鍵荷重でスムースに乗り越えて保持孔部２９内の上面を転動するので、押鍵操作時のような鍵荷重の大きな変化が生じることがなく、これによってもアコ―スティックピアノに近似した鍵タッチを得ることができる。
【００３７】
また、この電子鍵盤楽器では、鍵２のハンマー連結部１８の保持孔部２９内に挿入して摺動するハンマー部材３のハンマー当接部２８にローラ３２を設けるだけの構成であるから、従来例のように板ばねにローラを設けたクリック付与部材に比べて、構造が簡単で、部品点数も少なく、組立て作業性が良いほか、従来例のようなクリック付与部材をハンマー部材３の後方に位置する鍵盤シャーシ１上に設ける必要がないので、装置全体の奥行きを短くすることができ、これにより装置全体の小型化をも図ることができる。
【００３８】
（実施形態２）
次に、図６〜図８を参照して、この発明を適用した電子鍵盤楽器の実施形態２について説明する。なお、図１〜図５に示された実施形態１と同一部分には同一符号を付して説明する。
この電子鍵盤楽器は、鍵２のハンマー連結部１８の保持孔部２９内における上面の前端部に突起部３５を設けた構成であり、これ以外は実施形態１とほぼ同じ構成になっている。
【００３９】
すなわち、この突起部３５は、図７および図８に示すように、ハンマー連結部１８の保持孔部２９内の上面における前端部、つまり鍵２の前側に位置する前端部に、その下側に向けて少し突出して設けられ、押鍵操作時にハンマー当接部２８のローラ３２が乗り越えることにより鍵２に負荷を付与するように構成されている。
【００４０】
このような電子鍵盤楽器では、実施形態１と同様、押鍵操作に伴ってハンマー部材３のハンマー当接部２８が鍵２のハンマー連結部１８の保持孔部２９内を移動しながら、鍵２のハンマー連結部１８がハンマー当接部２８を押し下げることにより、ハンマー部材３が上方向に回動するときに、鍵荷重が急激に重くなるアクション荷重を付与し、この状態でハンマー当接部２８のローラ３２がハンマー連結部１８の保持孔部２９内における上面を転動して、この保持孔部２９内における上面の前端部に設けられた突起部３５を乗り越えるときに、突起部３５の突出した分だけ、実施形態１よりも鍵荷重を急激に重くすることができ、ローラ３２が突起部３５を乗り越えたときに、実施形態１よりも鍵荷重を急激に軽くすることができる。
【００４１】
すなわち、突起部３５は、図７および図８に示すように、ハンマー連結部１８の保持孔部２９内の上面における前端部に、その下側に向けて少し突出して設けられているので、鍵２を弱い力で押鍵操作したときに、ローラ３２が突起部３５をゆっくり乗り上げることにより、確実に鍵荷重を重くすることができると共に、ローラ３２が突起部３５をゆっくり乗り越えたときに、確実に鍵荷重を軽くすることができ、これにより弱い力で押鍵操作したときに、確実に鍵荷重が抜けるレットオフの鍵タッチが得られる。
【００４２】
このように、この電子鍵盤楽器によれば、実施形態１と同様の作用効果があるほか、鍵２のハンマー連結部１８の保持孔部２９内における上面の前端部に突起部３５を設けたので、弱い力で押鍵操作したときにローラ３２が突起部３５をゆっくり乗り越えることにより、実施形態１よりも確実に鍵荷重を大きく変化させることができ、これにより鍵荷重の変化が大きいレットオフの鍵タッチを得ることができるので、弱い力で押鍵操作したときに実施形態１よりも確実にアコ―スティックピアノに近似した鍵タッチを得ることができる。
【００４３】
（実施形態３）
次に、図９〜図１２を参照して、この発明を適用した電子鍵盤楽器の実施形態３について説明する。この場合にも、図１〜図５に示された実施形態１と同一部分に同一符号を付して説明する。
この電子鍵盤楽器は、ハンマー当接部２８の上面に設けられたローラ３２に代えて、鍵２のハンマー連結部１８の保持孔部２９内における上面の前端部にローラ４０を設けた構成であり、これ以外は実施形態１とほぼ同じ構成になっている。
【００４４】
この場合、ハンマー部材３のハンマー当接部２８は、実施形態１と同様、ハンマー本体２０の前端部に鍵２の前側に突出した状態で設けられてハンマー連結部１８の保持孔部２９内に挿入する挿入部３０と、この挿入部３０の前端に設けられてハンマー連結部１８の保持孔部２９内を摺動する摺動部３１とからなり、全体がほぼＬ字形状に形成されている。この挿入部３０も、上下方向の長さが保持孔部２９内の上下方向の長さに対しほぼ半分の長さに形成されている。摺動部３１は、その上下方向の長さが保持孔部２９内の上下方向の長さとほぼ同じ長さで、前後方向（図３では左右方向）の長さが保持孔部２９内の前後方向の長さに対しほぼ半分の長さに形成されている。
【００４５】
また、ハンマー連結部１８の保持孔部２９内における上面の前端部、つまり鍵２の前側に位置する上面の前端部には、図１１および図１２に示すように、収納凹部４１が下面および前面に開放されて設けられており、この収納凹部４１内には、ローラ４０が下側および前側に少し突出した状態で回転自在に設けられている。これにより、ローラ４０は、鍵２が押鍵されてハンマー当接部２８の摺動部３１の下面がハンマー連結部１８の保持孔部２９内における下面に接触して摺動するときに、摺動部３１の上面を相対的に転動して、図１２に示すように、摺動部３１の上面における鍵２の後側に位置する後端部３１ａを乗り越えるように構成されている。
【００４６】
このような電子鍵盤楽器では、ハンマー部材３の錘部２３の重量に抗して鍵２を押鍵操作すると、その鍵２が鍵盤シャーシ１の後端部の鍵支持軸１５を中心に、図１において時計回りに回動して、鍵２のハンマー連結部１８が下方に移動することにより、ハンマー連結部１８の保持孔部２９内に挿入されたハンマー本体２０のハンマー当接部２８が押し下げられる。このときには、摺動部３１の下面が保持孔部３１内の下面に沿って鍵２の前後方向に摺動すると共に、ハンマー連結部１８の保持孔部２９内における上面に設けられたローラ４０がハンマー当接部２８の摺動部３１の上面を鍵２の前方に向けて相対的に転動する。
【００４７】
これに伴って、ハンマー部材３のハンマー本体２０が、ハンマーホルダ２１の軸受部２６を保持するハンマー支持部１１の支持軸１２を中心に、図１において時計回りに回動する。このように、鍵２が押されてハンマー部材３がその錘２３の重量に抗して回動し始めると、実施形態１と同様、鍵荷重が急激に重くなり（図５のａ線参照）、鍵２がある程度押し下げられると、鍵荷重がほぼ一定になり（図５のｂ線参照）、更に鍵２が押し下げられると、鍵２のスイッチ押圧部１７がスイッチ部４を押圧するので、鍵荷重が更に少し重くなる（図５のｃ線参照）。
【００４８】
この状態で、鍵２が更に押し下げられると、図１２に示すように、保持孔部２９内の上面に設けられたローラ４０がハンマー当接部２８の摺動部３１の上面を鍵２の前方に向けて相対的に転動して、摺動部３１の上面における後端部３１ａに到達し、この後端部３１ａを乗り越えようとするので、図１１に示すように、ローラ４０に対する摺動部３１の上面における後端部３１ａの反力が、実施形態１と同様、斜め上後方に向けて発生し、その反力における垂直方向の抗力が大きいことにより、鍵荷重が急激に重くなる（図５のｄ線参照）。
【００４９】
そして、保持孔部２９内のローラ４０がハンマー当接部２８の摺動部３１の上面における後端部３１ａを乗り越えると、図１２に示すように、ローラ３２に対する摺動部３１の上面における後端部３１ａの反力における抗力が鍵２の回動中心である鍵支持軸１５に向き、その抗力の向きが図１１の場合に対し大きく変わり、垂直方向に作用する力が大幅に小さくなる。このため、実施形態１と同様、鍵荷重が急激に軽くなり（図５のｅ線参照）、ハンマー当接部２８の摺動部３１の下面が保持孔部２９内の下面から浮き上がる。これにより、鍵荷重が急激に抜けるレットオフの鍵タッチが得られる。この後、鍵２が最も押し下げられると、ハンマー部材３が上限ストッパ２５に当接するので、再び鍵荷重が急激に重くなる（図５のｆ線参照）。
【００５０】
この後、鍵２から指を離して鍵２が初期位置に戻る離鍵時には、ハンマー本体２０の錘部２３の重量によってハンマー部材３が図１０において反時計回りに回動する。このときには、実施形態１と同様、鍵荷重が急激に軽くなる（図５のｇ線参照）。この後、ハンマー部材３が図１０において反時計回りに回動して、ハンマー本体２０のハンマー当接部２８における摺動部３１の後端部３１ａを鍵２のハンマー連結部１８の保持孔部３１内における上面のローラ４０が乗り越える。
【００５１】
このときには、摺動部３１の下面が保持孔部２９内の下面に接近しながら、摺動部３１のローラ３２が保持孔部２９内の上面における前端部２９ａを回転して相対的に乗り越えるので、摩擦抵抗が小さく、軽い鍵荷重でスムースに乗り越えることができる。この後、摺動部３１のローラ３２が保持孔部２９内の上面を相対的に転動すると共に、摺動部３１の下面が保持孔部２９内の下面に沿って移動するので、実施形態１と同様、鍵荷重が緩やかに軽くなる（図５のｈ線参照）。
【００５２】
そして、ハンマー部材３が図１０において反時計回りに更に回動して、鍵２が更に押し上げられるときには、鍵２のスイッチ押圧部１７がスイッチ部４によって押し上げられるので、鍵荷重が更に少し軽くなる（図５のｉ線参照）。この後は、ハンマー部材３が一定のモーメントで回動するので、鍵荷重がほぼ一定になり（図５のｊ線参照）、ハンマー部材３が下限ストッパ２４に当接すると、再び鍵荷重が急激に軽くなる（図５のｋ線参照）。これにより、鍵２はハンマー部材３の回動に伴って反時計回りに回動して、図９に示す初期位置に戻る。
【００５３】
このように、この電子鍵盤楽器によれば、押鍵操作に伴ってハンマー部材３のハンマー当接部２８が鍵２のハンマー連結部１８の保持孔部２９内を移動しながら、鍵２のハンマー連結部１８がハンマー当接部２８を押し下げることにより、ハンマー部材３が上方向に回動するときに、鍵荷重が急激に重くなるアクション荷重を付与し、この状態でハンマー連結部１８の保持孔部２９ｂ内における上面に設けられたローラ４０が、ハンマー当接部２８の摺動部３１の上面を相対的に転動して、摺動部３１の上面の後端部３１ａを乗り越えるときに、鍵荷重を急激に重くし、ローラ４０が摺動部３１の上面の後端部３１ａを乗り越えたときに、鍵荷重を急激に軽くすることができる。
【００５４】
これにより、実施形態１と同様、押鍵操作時に鍵荷重が急激に抜けるレットオフの鍵タッチを得ることができるので、より一層、アコ―スティックピアノに近似した鍵タッチを得ることができると共に、離鍵時に保持孔部３１内の上面に設けられたローラ４０が、ハンマー当接部２８の摺動部３１の後端部３１ａを相対的に軽い鍵荷重でスムースに乗り越えて摺動部３１の上面を相対的に転動するので、実施形態１と同様、押鍵操作時のような鍵荷重の大きな変化が生じることがなく、これによってもアコ―スティックピアノに近似した鍵タッチを得ることができる。
【００５５】
また、この電子鍵盤楽器では、ハンマー部材３のハンマー当接部２８が挿入して移動する鍵２のハンマー連結部１８の保持孔部２９内における上面に収納凹部４１を設け、この収納凹部４１内にローラ４０を回転自在に設けただけの構成であるから、実施形態１と同様、従来例のように板ばねにローラを設けたクリック付与部材に比べて、構造が簡単で、部品点数も少なく、組立て作業性が良いほか、従来例のようなクリック付与部材をハンマー部材３の後方に位置する鍵盤シャーシ１上に設ける必要がないので、装置全体の奥行きを短くすることができ、これにより装置全体の小型化をも図ることができる。
【００５６】
（実施形態４）
次に、図１３〜図１５を参照して、この発明を適用した電子鍵盤楽器の実施形態４について説明する。この場合には、図９〜図１２に示された実施形態３と同一部分に同一符号を付して説明する。
この電子鍵盤楽器は、ハンマー当接部２８の摺動部３１における上面の後端部に突起部４５を設けた構成であり、これ以外は実施形態３とほぼ同じ構成になっている。
【００５７】
すなわち、この突起部４５は、図１４および図１５に示すように、ハンマー当接部２８の摺動部３１の上面における後端部、つまり鍵２の後側に位置する後端部に、その上側に向けて少し突出して設けられ、押鍵時にハンマー連結部１８の保持孔部２９内の上面に設けられたローラ４０が相対的に乗り越えることにより鍵２に負荷を付与するように構成されている。
【００５８】
このような電子鍵盤楽器では、押鍵操作に伴ってハンマー部材３のハンマー当接部２８が鍵２のハンマー連結部１８の保持孔部２９内を移動しながら、鍵２のハンマー連結部１８がハンマー当接部２８を押し下げることにより、ハンマー部材３が上方向に回動するときに、実施形態３と同様、鍵荷重が急激に重くなるアクション荷重を付与し、この状態でハンマー連結部１８の保持孔部２９内における上面のローラ４０が、ハンマー当接部２８の摺動部３１の上面を相対的に転動して、この摺動部３１の上面の後端部に設けられた突起部４５を乗り越えるときに、突起部４５の突出した分だけ、実施形態３よりも鍵荷重を急激に重くすることができ、ローラ４０が突起部４５を乗り越えたときに、実施形態３よりも鍵荷重を急激に軽くすることができる。
【００５９】
すなわち、突起部４５は、図１４および図１５に示すように、ハンマー当接部２８の摺動部３１の上面における後端部、つまり鍵２の後側に位置する後端部に、その上側に向けて少し突出して設けられているので、鍵２を弱い力で押鍵操作したときに、ローラ４０が突起部４５を相対的にゆっくり乗り上げることにより、確実に鍵荷重を重くすることができると共に、ローラ４０が突起部４５を相対的にゆっくり乗り越えたときに、確実に鍵荷重を軽くすることができ、これにより弱い力で押鍵操作したときに、確実に鍵荷重が抜けるレットオフの鍵タッチが得られる。
【００６０】
このように、この電子鍵盤楽器によれば、実施形態３と同様の作用効果があるほか、特にハンマー当接部２８の摺動部３１における上面の後端部に突起部４５を設けたので、弱い力で押鍵操作したときにローラ４０が突起部４５を相対的にゆっくり乗り越えることにより、実施形態３よりも確実に鍵荷重を大きく変化させることができ、これにより鍵荷重の変化が大きいレットオフの鍵タッチを得ることができるので、実施形態３よりも確実にアコ―スティックピアノに近似した鍵タッチを得ることができる。
【図面の簡単な説明】
【００６１】
【図１】この発明を適用した電子鍵盤楽器の実施形態１を示した断面図である。
【図２】図１の電子鍵盤楽器において鍵を押鍵した状態を示した断面図である。
【図３】図１のハンマー当接部とハンマー連結部とにおける要部を示した拡大断面図である。
【図４】図２のハンマー当接部とハンマー連結部とにおける要部を示した拡大断面図である。
【図５】図１の電子鍵盤楽器における鍵ストロークと鍵荷重との特性を示した図である。
【図６】この発明を適用した電子鍵盤楽器の実施形態２を示した断面図である。
【図７】図６のハンマー当接部とハンマー連結部とにおける要部を示した拡大断面図である。
【図８】図７において鍵を押鍵したときの要部を示した拡大断面図である。
【図９】この発明を適用した電子鍵盤楽器の実施形態３を示した断面図である。
【図１０】図９の電子鍵盤楽器において鍵を押鍵した状態を示した断面図である。
【図１１】図９のハンマー当接部とハンマー連結部とにおける要部を示した拡大断面図である。
【図１２】図１０のハンマー当接部とハンマー連結部とにおける要部を示した拡大断面図である。
【図１３】この発明を適用した電子鍵盤楽器の実施形態４を示した断面図である。
【図１４】図１３のハンマー当接部とハンマー連結部とにおける要部を示した拡大断面図である。
【図１５】図１４において鍵を押鍵したときの要部を示した拡大断面図である。
【符号の説明】
【００６２】
１  鍵盤シャーシ
２  鍵
３  ハンマー部材
４  スイッチ部
１８  ハンマー連結部
２８  ハンマー当接部
２９  保持孔部
２９ａ  保持孔部の前端部
３０  挿入部
３１  摺動部
３１ａ  摺動部の後端部
３２、４０  ローラ
３５、４５  突起部
【図１】
2008164706.tif 000003
【図２】
2008164706.tif 000004
【図３】
2008164706.tif 000005
【図４】
2008164706.tif 000006
【図５】
2008164706.tif 000007
【図６】
2008164706.tif 000008
【図７】
2008164706.tif 000009
【図８】
2008164706.tif 000010
【図９】
2008164706.tif 000011
【図１０】
2008164706.tif 000012
【図１１】
2008164706.tif 000013
【図１２】
2008164706.tif 000014
【図１３】
2008164706.tif 000015
【図１４】
2008164706.tif 000016
【図１５】
2008164706.tif 000017